(57)【要約】【課題】  通信を扱う通信装置及び方法を提供する。【解決手段】  通信を扱う第１のＢＳが、通信装置に接続することと、追加要求を第２のＢＳに送信することと、第２のＢＳからＳＣＧを構成するＳＣＧを含む追加要求肯定応答を受信することと、ＳＣＧ構成を含むＲＲＣメッセージを通信装置に送信することと、通信装置からＲＲＣ完了メッセージを受信することと、通信装置のための第２のＢＳの解放の決定を行うことと、解放要求を生成することであって、第１のＢＳは、解放がＳＣＧの少なくとも１つの測定結果、ハンドオーバ、ＳＣＧ障害、又はＭＣＧ障害により引き起こされた場合、解放要求内でデータ転送を要求し、第１のＢＳは、解放がＲＲＣ接続解放又はユーザ不活動により引き起こされた場合、解放要求内でデータ転送を要求しないことと、解放要求を第２のＢＳに送信することと、の命令を含む。【選択図】  図３
2018093495.tif 000002
【特許請求の範囲】
【請求項１】
通信を扱う第１の基地局（ＢＳ）であって、
通信装置に接続することと、
前記通信装置に接続したとき、追加要求を第２のＢＳに送信して、前記通信装置のための少なくとも１つの無線リソースを割り当てるように前記第２のＢＳに要求することと、
前記第２のＢＳから、前記通信装置のための前記少なくとも１つの無線リソースを割り当てるためのセカンダリセルグループ（ＳＣＧ）を構成するＳＣＧ構成を含む追加要求肯定応答を受信することと、
無線リソース制御（ＲＲＣ）メッセージを前記通信装置に送信することであって、前記ＲＲＣメッセージは前記ＳＣＧ構成を含む、ことと、
前記通信装置からＲＲＣ完了メッセージを受信することであって、前記通信装置は前記ＲＲＣメッセージに応答して前記ＲＲＣ完了メッセージを送信する、ことと、
前記通信装置のための前記第２のＢＳの解放の決定を行うことと、
前記決定に応答して解放要求を生成することであって、当該第１のＢＳは、前記解放が前記ＳＣＧの少なくとも１つの測定結果、ハンドオーバ、ＳＣＧ障害、又はマスタセルグループ（ＭＣＧ）障害により引き起こされた場合、前記解放要求でデータ転送を要求し、前記解放がＲＲＣ接続解放又はユーザ不活動により引き起こされた場合、前記解放要求で前記データ転送を要求しない、ことと、
前記解放要求を前記第２のＢＳに送信することと、
の命令を記憶した記憶装置と、
前記記憶装置に結合され、前記記憶装置に記憶された前記命令を実行するように構成された処理回路と、
を含む第１のＢＳ。
【請求項２】
前記ＳＣＧの前記少なくとも１つの測定結果が、前記ＳＣＧの少なくとも１つのセルのすべての少なくとも１つの信号強度が閾値より低いことを示すとき、当該第１のＢＳは、前記通信装置のための前記第２のＢＳの前記解放の決定を行う、請求項１に記載の第１のＢＳ。
【請求項３】
当該第１のＢＳは、前記解放要求にデータ転送要求情報を含めることにより前記データ転送を要求し、当該第１のＢＳは、前記解放要求メッセージに前記データ転送要求情報を含めないことにより前記データ転送を要求しない、請求項１に記載の第１のＢＳ。
【請求項４】
当該第１のＢＳは、当該第１のＢＳが前記通信装置からデータを受信せず、かつ当該第１のＢＳが前記通信装置に送信すべきデータを有さないとき、前記ユーザ不活動が発生していると決定する、請求項１に記載の第１のＢＳ。
【請求項５】
当該第１のＢＳは、当該第１のＢＳが前記通信装置に送信すべきデータを有さず、かつ当該第１のＢＳが前記通信装置から前記通信装置のバッファにデータがないことを示すバッファステータスレポート（ＢＳＲ）を受信したとき、前記ユーザ不活動が発生していると決定する、請求項１に記載の第１のＢＳ。
【請求項６】
通信を扱い、命令を実行するように構成された第１の基地局（ＢＳ）及び第２のＢＳを含むネットワークであって、前記命令は、
前記第１のＢＳ及び前記第２のＢＳが、デュアルコネクティビティ（ＤＣ）において通信装置に接続することと、
前記第１のＢＳが、前記通信装置のための前記第２のＢＳの解放の決定を行うことと、
前記第１のＢＳが、前記決定に応答して解放要求を生成することであって、前記第１のＢＳは、前記解放がセカンダリセルグループ（ＳＣＧ）の少なくとも１つの測定結果、ハンドオーバ、ＳＣＧ障害、又はマスタセルグループ（ＭＣＧ）障害により引き起こされた場合、前記解放要求でデータ転送を要求し、前記第１のＢＳは、前記解放が無線リソース制御（ＲＲＣ）接続解放又はユーザ不活動により引き起こされた場合、前記解放要求で前記データ転送を要求しない、ことと、
前記第１のＢＳが、前記解放要求を前記第２のＢＳに送信することと、
を含む、ネットワーク。
【請求項７】
前記第１のＢＳ及び前記第２のＢＳは、
前記第１のＢＳが、前記第１のＢＳの第１のセルを介して前記通信装置とのＲＲＣ接続を構成することと、
前記第２のＢＳが、ＳＣＧ構成を前記第１のＢＳに送信することであって、前記ＳＣＧ構成は前記ＳＣＧを変更する、ことと、
前記第１のＢＳが、前記第１のセルを介して前記ＲＲＣ接続でＲＲＣメッセージを前記通信装置に送信することであって、前記ＲＲＣメッセージは前記ＳＣＧ構成を含む、ことと、
前記第１のＢＳが、前記第１のセル又は前記第１のＢＳの第２のセルを介して前記通信装置からＲＲＣ完了メッセージを受信することであって、前記通信装置は前記ＲＲＣメッセージに応答して前記ＲＲＣ完了メッセージを送信する、ことと、
前記第１のＢＳが、前記ＲＲＣ完了メッセージに応答して完了メッセージを前記第２のＢＳに送信することと、
の命令を実行するように構成される、請求項６に記載のネットワーク。
【請求項８】
前記第１のＢＳ及び前記第２のＢＳは、
前記第１のＢＳが、追加要求を前記第２のＢＳに送信して、前記第１のＢＳと共に前記ＤＣにおいて前記通信装置をサービングするように前記第２のＢＳに要求することと、
前記第２のＢＳが、前記追加要求に応答してＳＣＧ確立のための前記ＳＣＧ構成を前記第１のＢＳに送信することと、
の命令を実行するように構成される、請求項７に記載のネットワーク。
【請求項９】
前記第１のＢＳ及び前記第２のＢＳは、
前記第１のＢＳが、修正要求を前記第２のＢＳに送信することと、
前記第２のＢＳが、前記修正要求に応答して、前記第１のＢＳに対してプライマリセカンダリセル（ＰＳＣｅｌｌ）変更を示すか又はデータ無線ベアラ（ＤＲＢ）を構成するＳＣＧ構成を前記第１のＢＳに送信することと、
の命令を実行するように構成される、請求項６に記載のネットワーク。
【請求項１０】
前記第２のＢＳは、
前記第２のＢＳが前記ＳＣＧを解放すること、ＰＳＣｅｌｌを変更すること、又は少なくとも１つのセキュリティキーをリフレッシュすることを決定したとき、ＳＣＧ変更を示すＳＣＧ構成を前記第１のＢＳに送信すること
の命令を実行するように構成される、請求項６に記載のネットワーク。
【請求項１１】
前記少なくとも１つの測定結果が、前記ＳＣＧの少なくとも１つのセルのすべての少なくとも１つの信号強度が閾値より低いことを示すとき、前記第１のＢＳは、前記通信装置のための前記第２のＢＳの前記解放の決定を行う、請求項６に記載のネットワーク。
【請求項１２】
前記第１のＢＳは、前記解放要求にデータ転送要求情報を含めることにより前記データ転送を要求し、前記第１のＢＳは、前記解放要求メッセージに前記データ転送要求情報を含めないことにより前記データ転送を要求しない、請求項６に記載のネットワーク。
【請求項１３】
前記データ転送要求情報は、データが転送される少なくとも１つの無線ベアラを示す、請求項１２に記載のネットワーク。
【請求項１４】
前記第２のＢＳは、
前記第２のＢＳが、前記データ転送要求情報を含む前記解放要求を受信したとき、前記データ転送要求情報により示されたデータを前記第１のＢＳに転送することと、
前記第２のＢＳがデータ転送要求情報、前記データ転送要求情報を含まない前記解放要求を受信したとき、前記通信装置のデータを前記第１のＢＳに転送しないことと、
の命令を実行するように構成される、請求項１２に記載のネットワーク。
【請求項１５】
前記第１のＢＳは、前記第１のＢＳが前記通信装置に送信すべきデータを有さず、かつ前記通信装置から前記通信装置のバッファにデータがないことを示すバッファステータスレポート（ＢＳＲ）を受信したとき、前記ユーザ不活動が発生していると決定する、請求項６に記載のネットワーク。
【発明の詳細な説明】
【技術分野】
【０００１】
本発明は、ワイヤレス通信システムにおいて使用される装置及び方法に関し、より詳細には、通信を扱う装置及び方法に関する。
【背景技術】
【０００２】
マスタ基地局（ＭＢＳ）がセカンダリＢＳ（ＳＢＳ）及びユーザ機器（ＵＥ）と通信するとき、ＭＢＳは、ＳＢＳを解放するように決定することができ、ＵＥのデータをＭＢＳに転送するようにＳＢＳに要求することができる。しかしながら、ＵＥのデータをＭＢＳに転送するようにＳＢＳに要求する動作は不要であることがあり、なぜならば、ＵＥのデータは、特定の状況（例えば、ＵＥがＭＢＳとの間で切断している）において、ＵＥに送信される必要がない場合があるからである。したがって、ＳＢＳの解放と、ＭＢＳ及びＳＢＳ間のＸ２接続の解放は、遅れる可能性がある。結果として、ＭＢＳとＳＢＳとＵＥとの間の通信は、効率的に続行することができない。
【先行技術文献】
【非特許文献】
【０００３】
【非特許文献１】3GPP  TS  36.300  V14.0.0  (2016-09)  “3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  14)”
【発明の概要】
【０００４】
本発明は、したがって、前述された問題を解決するように、通信を扱う通信装置及び方法を提供する。
【０００５】
通信を扱う第１の基地局（ＢＳ）が、命令を記憶した記憶装置と、記憶装置に結合された処理回路とを含む。処理回路は、記憶装置に記憶された命令を実行するように構成される。上記命令は、通信装置に接続することと、上記通信装置に接続したとき、追加要求を第２のＢＳに送信して、上記通信装置のための少なくとも１つの無線リソースを割り当てるように上記第２のＢＳに要求することと、上記第２のＢＳから、上記通信装置のための上記少なくとも１つの無線リソースを割り当てるためのセカンダリセルグループ（ＳＣＧ）を構成するＳＣＧ構成を含む追加要求肯定応答を受信することと、無線リソース制御（ＲＲＣ）メッセージを上記通信装置に送信することであって、上記ＲＲＣメッセージは上記ＳＣＧ構成を含む、ことと、上記通信装置からＲＲＣ完了メッセージを受信することであって、上記通信装置は上記ＲＲＣメッセージに応答して上記ＲＲＣ完了メッセージを送信する、ことと、上記通信装置のための上記第２のＢＳの解放の決定を行うことと、上記決定に応答して解放要求を生成することであって、当該第１のＢＳは、上記解放が上記ＳＣＧの少なくとも１つの測定結果、ハンドオーバ、ＳＣＧ障害、又はマスタセルグループ（ＭＣＧ）障害により引き起こされた場合、上記解放要求でデータ転送を要求し、上記解放がＲＲＣ接続解放又はユーザ不活動により引き起こされた場合、上記解放要求で上記データ転送を要求しない、ことと、上記解放要求を上記第２のＢＳに送信することと、を含む。
【０００６】
通信を扱い、命令を実行するように構成された第１の基地局（ＢＳ）及び第２のＢＳを含むネットワークであって、上記命令は、上記第１のＢＳ及び上記第２のＢＳが、デュアルコネクティビティにおいて通信装置に接続することと、上記第１のＢＳが、上記通信装置のための上記第２のＢＳの解放の決定を行うことと、上記第１のＢＳが、上記決定に応答して解放要求を生成することであって、上記第１のＢＳは、上記解放がセカンダリセルグループ（ＳＣＧ）の少なくとも１つの測定結果、ハンドオーバ、ＳＣＧ障害、又はマスタセルグループ（ＭＣＧ）障害により引き起こされた場合、上記解放要求でデータ転送を要求し、上記第１のＢＳは、上記解放が無線リソース制御（ＲＲＣ）接続解放又はユーザ不活動により引き起こされた場合、上記解放要求で上記データ転送を要求しない、ことと、上記第１のＢＳが、上記解放要求を上記第２のＢＳに送信することと、を含む。
【０００７】
本発明の上記及び他の目的が、様々な図表及び図面に例示される好適な実施形態の下記詳細な説明を読んだ当業者に疑いなく明らかになるであろう。
【図面の簡単な説明】
【０００８】
【図１】本発明の一例によるワイヤレス通信システムの略図である。
【図２】本発明の一例による通信装置の略図である。
【図３】本発明の一例による処理のフローチャートである。
【図４】本発明の一例による処理のフローチャートである。
【発明を実施するための形態】
【０００９】
図１は、本発明の一例によるワイヤレス通信システム１０の略図である。ワイヤレス通信システム１０は、通信装置１００、基地局（ＢＳ）１０２及び１０４を含む。図１において、通信装置１００、並びにＢＳ１０２及び１０４は、ワイヤレス通信システム１０の構造を例示するために利用される。実際、ＢＳ１０２及び１０４の各々は、進化型ノードＢ（evolved  Node-B）（ｅＮＢ）、又は第５世代（５Ｇ）（若しくはニューラジオ（new  radio）（ＮＲ）と呼ばれる）ＢＳであってもよい。５Ｇ（又は、ＮＲ）ＢＳは、直交周波数分割多重（orthogonal  frequency-division  multiplexing）（ＯＦＤＭ）、フィルタ化（filtered）ＯＦＤＭ（Ｆ‐ＯＦＤＭ）、一般化周波数分割多重（Generalized  Frequency  Division  Multiplexing）（ＧＦＤＭ）、ユニバーサルフィルタ化マルチキャリア（Universal  Filtered  MultiCarrier）（ＵＦＭＣ）、フィルタバンクマルチキャリア（Filter  Bank  Multi-Carrier）（ＦＭＢＣ）、及び／又は非ＯＦＤＭをサポートすることができる。５Ｇ（又は、ＮＲ）ＢＳは、１ｍｓより短い送信時間間隔（ＴＴＩ）（例えば、１００又は２００マイクロ秒）と、より広いシステム帯域幅（例えば、１００又は２００ＭＨｚ）とをサポートすることができる。図１において、ＢＳ１０２及びＢＳ１０４のカバレッジエリアは、重ねられてもよく、あるいは重ねられなくてもよい。一般に、ＢＳはまた、ｅＮＢと５Ｇ  ＢＳとのうち任意のものを参照するために使用されてもよい。
【００１０】
図１に示されるように、通信装置１００は、デュアルコネクティビティ（ＤＣ）に従ってＢＳ１０２及び１０４と同時に通信するように構成されてもよい。すなわち、通信装置１００は、ＢＳ１０２及び１０４の双方を介して送信／受信を実行することができる。例えば、通信装置１００は、ＢＳ１０２の少なくとも１つのセルを介してＢＳに及び／又はＢＳからパケット（例えば、プロトコルデータユニット（ＰＤＵ））を送信し、かつ／あるいは受信することができると同時に、通信装置１００は、ＢＳ１０４の少なくとも１つのセルを介してＢＳ１０４に及び／又はＢＳ１０４からパケット（例えば、ＰＤＵ）を送信し、かつ／あるいは受信することができる。さらに、ＢＳ１０２及び１０４のうち一方がマスタＢＳ（ＭＢＳ）であってもよく、他方のＢＳがセカンダリＢＳ（ＳＢＳ）であってもよい。ＭＢＳのセルのうち１つが、通信装置１００のプライマリセル（ＰＣｅｌｌ）であってもよい。ＭＢＳの他のセル（利用可能な場合）は、通信装置１００のセカンダリセル（ＳＣｅｌｌ）であってもよい。ＳＢＳのセルのうち１つが、通信装置１００のプライマリＳＣｅｌｌ（ＰＳＣｅｌｌ）であってもよい。ＳＢＳの他のセル（利用可能な場合）は、通信装置１００のＳＣｅｌｌであってもよい。
【００１１】
続く例の説明を簡素化するために、本発明における例に関連した技術用語が下記のとおり説明される。ＤＣは、ＲＲＣ＿ＣＯＮＮＥＣＴＥＤにおける通信装置の動作モードであり得、これは、通信装置に対するマスタセルグループ（ＭＣＧ）及びセカンダリセルグループ（ＳＣＧ）で構成される。ＭＢＳは、ｅＮＢ（例えば、ＭｅＮＢ）又は５Ｇ  ＢＳ（例えば、ＭｇＮＢ）であり得る。ＳＢＳは、さらなる無線リソースを提供し、しかしＭＢＳでないｅＮＢ（例えば、ＳｅＮＢ）又は５Ｇ  ＢＳ（例えば、ＳｇＮＢ）であり得る。ＭＣＧは、ＳＣｅｌｌが通信装置に対して構成される場合、ＭＢＳのＰＣｅｌｌ及びＳＣｅｌｌを含むことができる。ＳＣＧは、ＳＣｅｌｌが通信装置に対して構成される場合、ＳＢＳのＰＳＣｅｌｌ及びＳＣｅｌｌを含むことができる。ＭＣＧベアラは、その無線プロトコルがＭＢＳ内にのみ位置してＭＢＳリソースのみ使用する無線ベアラであり得る。ＳＣＧベアラは、その無線プロトコルがＳＢＳ内にのみ位置してＳＢＳリソースを使用する無線ベアラであり得る。スプリットベアラは、その無線プロトコルがＭＢＳ及びＳＢＳの双方に位置してＭＢＳ及びＳＢＳ双方のリソースを使用するベアラであり得る。
【００１２】
通信装置１００は、ユーザ機器（user  equipment）（ＵＥ）、モバイルフォン、ラップトップ、タブレットコンピュータ、電子ブック、ポータブルコンピュータシステム、車両、又は航空機であってもよい。上りリンク（uplink）（ＵＬ）について、通信装置１００は送信機であり、ＢＳ１０２及び／又はＢＳ１０４は受信機である。下りリンク（downlink）（ＤＬ）について、ＢＳ１０２及び／又はＢＳ１０４は送信機であり、通信装置１００は受信機である。
【００１３】
図２は、本発明の一例による通信装置２０の略図である。通信装置２０は、図１に示される通信装置１００、ＢＳ１０２、又はＢＳ１０４であってもよく、しかし本明細書において限定されない。通信装置２０は、処理回路２００、例えばマイクロプロセッサ又は特定用途向け集積回路（ＡＳＩＣ）などと、記憶装置２１０と、通信インターフェース装置２２０とを含むことができる。記憶装置２１０は、処理回路２００によりアクセス及び実行されるプログラムコード２１４を記憶することができる任意のデータ記憶装置であってもよい。記憶装置２１０の例には、これらに限られないが、加入者識別モジュール（ＳＩＭ）、読取専用メモリ（ＲＯＭ）、フラッシュメモリ、ランダムアクセスメモリ（ＲＡＭ）、ハードディスク、光学データ記憶装置、不揮発記憶装置、非一時的コンピュータ読取可能媒体（例えば、有形媒体）等が含まれる。通信インターフェース装置２２０は、処理回路２００の処理結果に従って信号（例えば、データ、メッセージ、及び／又はパケット）を送信及び受信するために使用される少なくとも１つの送受信器を含む。ＢＳ１０２及び１０４は、ネットワークに属して（例えば、ネットワークにより管理／制御されて）、下記の例を実現するステップ又は命令を実行することができる。
【００１４】
下記の例において、図１における通信装置を表現するためにＵＥが用いられて、例の解説を簡素化する。
【００１５】
図３は、本発明の一例による処理３０のフローチャートである。処理３０は、通信を扱うために、第１のＢＳ（例えば、ＢＳ１０２）において利用されてもよい。処理３０は、下記のステップを含む。
【００１６】
ステップ３００：開始する。
【００１７】
ステップ３０２：ＵＥに接続する。
【００１８】
ステップ３０４：ＵＥに接続したとき、追加要求を第２のＢＳに送信して、ＵＥのための少なくとも１つの無線リソースを割り当てるように第２のＢＳに要求する。
【００１９】
ステップ３０６：第２のＢＳから、ＵＥのための少なくとも１つの無線リソースを割り当てるためのＳＣＧを構成するＳＣＧ構成を含む追加要求肯定応答（addition  request  acknowledgement）を受信する。
【００２０】
ステップ３０８：無線リソース制御（ＲＲＣ）メッセージをＵＥに送信する。ＲＲＣメッセージは上記ＳＣＧ構成を含む。
【００２１】
ステップ３１０：ＵＥからＲＲＣ完了メッセージを受信する。ＵＥは、ＲＲＣメッセージに応答してＲＲＣ完了メッセージを送信する。
【００２２】
ステップ３１２：ＵＥのための第２のＢＳの解放の決定を行う。
【００２３】
ステップ３１４：上記決定に応答して解放要求を生成する。第１のＢＳは、解放がＳＣＧの少なくとも１つの測定結果、ハンドオーバ、ＳＣＧ障害（failure）、又はＭＣＧ障害により引き起こされた場合、解放要求内でデータ転送を要求し、解放がＲＲＣ接続解放又はユーザ不活動（user  inactivity）により引き起こされた場合、解放要求内でデータ転送を要求しない。
【００２４】
ステップ３１６：解放要求を第２のＢＳに送信する。
【００２５】
ステップ３１８：終了する。
【００２６】
処理３０によれば、第１のＢＳ（例えば、ＭＢＳ／ＭｅＮＢ）はＵＥに接続する。第１のＢＳは、ＵＥに接続したとき、追加要求（例えば、ＳＢＳ／ＳｅＮＢ追加要求（SBS/SeNB  Addition  Request））を第２のＢＳ（例えば、ＢＳ１０４、ＳＢＳ／ＳｅＮＢ）に送信して、ＵＥのための少なくとも１つの無線リソースを割り当てるように第２のＢＳに要求する。第１のＢＳは、第２のＢＳから、ＵＥのための少なくとも１つの無線リソースを割り当てるためのＳＣＧを構成するＳＣＧ構成を含む追加要求肯定応答（例えば、ＳＢＳ／ＳｅＮＢ追加要求肯定応答（SBS/SeNB  Addition  Request  Acknowledge））を受信する。第１のＢＳは、ＲＲＣメッセージ（例えば、ＲＲＣ接続再構成（RRC  Connection  Reconfiguration））をＵＥに送信し、このＲＲＣメッセージは、上記ＳＣＧ構成を含む。第１のＢＳは、ＵＥからＲＲＣ完了メッセージ（例えば、ＲＲＣ接続再構成完了（RRC  Connection  Reconfiguration  Complete））を受信し、ＵＥは、ＲＲＣメッセージに応答してＲＲＣ完了メッセージを送信する。第１のＢＳは、ＵＥのための第２のＢＳの解放の決定を実行する。次いで、第１のＢＳは、上記決定に応答して、解放要求（例えば、ＳＢＳ／ＳｅＮＢ解放要求（SBS/SeNB  Release  Request））を生成し、第１のＢＳは、解放がＳＣＧの少なくとも１つの測定結果、ハンドオーバ、ＳＣＧ障害、又はＭＣＧ障害により引き起こされた場合、解放要求内でデータ転送を要求し、解放がＲＲＣ接続解放又はユーザ不活動により引き起こされた場合、解放要求内でデータ転送を要求しない。第１のＢＳは、解放要求を第２のＢＳに送信する。すなわち、第１のＢＳは、異なる条件に従って、ＵＥのデータを転送するように第２のＢＳに要求するかどうかを決定する。
【００２７】
図４は、本発明の一例による処理４０のフローチャートである。処理４０は、通信を扱うために、第１のＢＳ（例えば、ＢＳ１０２）及び第２のＢＳ（例えば、ＢＳ１０４）を含むネットワークにおいて利用されてもよい。処理４０は、下記のステップを含む。
【００２８】
ステップ４００：開始する。
【００２９】
ステップ４０２：第１のＢＳ及び第２のＢＳが、ＤＣにおいてＵＥに接続する。
【００３０】
ステップ４０４：第１のＢＳが、ＵＥのための第２のＢＳの解放の決定を行う。
【００３１】
ステップ４０６：第１のＢＳが、上記決定に応答して解放要求を生成する。第１のＢＳは、解放がＳＣＧの少なくとも１つの測定結果、ハンドオーバ、ＳＣＧ障害、又はＭＣＧ障害により引き起こされた場合、解放要求内でデータ転送を要求し、第１のＢＳは、解放がＲＲＣ接続解放又はユーザ不活動により引き起こされた場合、解放要求内でデータ転送を要求しない。
【００３２】
ステップ４０８：第１のＢＳが、解放要求を第２のＢＳに送信する。
【００３３】
ステップ４１０：終了する。
【００３４】
処理４０によれば、第１のＢＳ（例えば、ＭＢＳ／ＭｅＮＢ）及び第２のＢＳ（例えば、ＳＢＳ／ＳｅＮＢ）は、ＤＣにおいてＵＥに接続する。第１のＢＳは、ＵＥのための第２のＢＳの解放の決定を実行する。次いで、第１のＢＳは、上記決定に応答して解放要求（例えば、ＳＢＳ／ＳｅＮＢ解放要求（SBS/SeNB  Release  Request））を生成し、第１のＢＳは、解放がＳＣＧの少なくとも１つの測定結果、ハンドオーバ、ＳＣＧ障害、又はＭＣＧ障害により引き起こされた場合、解放要求内でデータ転送を要求し、第１のＢＳは、解放がＲＲＣ接続解放又はユーザ不活動により引き起こされた場合、解放要求内でデータ転送を要求しない。第１のＢＳは、解放要求を第２のＢＳに送信する。すなわち、第１のＢＳは、異なる条件に従って、ＵＥのデータを転送するように第２のＢＳに要求するかどうかを決定する。
【００３５】
処理３０及び４０によれば、第１のＢＳは、対応する条件が満たされる場合、ＵＥのデータを転送するように第２のＢＳに要求する。したがって、第１のＢＳが、ＵＥのデータを転送するように第２のＢＳに不必要に要求し得るという問題が、解決される。第２のＢＳの解放と、第１のＢＳ及び第２のＢＳの間のＸ２接続の解放とに対して引き起こされる遅延が、解決される。
【００３６】
本発明の実現は、上記の説明に限定されない。下記の例が、処理３０〜４０を実現するために適用されてもよい。
【００３７】
一例において、第１のＢＳは、ＵＥからＳＣＧの少なくとも１つの測定結果を受信する。一例において、第１のＢＳは、ＳＣＧの少なくとも１つのセルのすべての少なくとも１つの信号強度が弱い（例えば、閾値より低い）ことをＳＣＧの少なくとも１つの測定結果が示すとき、ＵＥのための第２のＢＳの解放の決定を実行する。すなわち、解放は、ＳＣＧの少なくとも１つの測定結果により引き起こされる。第１のＢＳは、解放要求を第２のＢＳに送信することにより、ＵＥのための第２のＢＳの解放の決定を実行する。
【００３８】
一例において、第１のＢＳは、第１のＢＳがＵＥを第３のＢＳにハンドオーバするように決定したとき、ＵＥのための第２のＢＳの解放の決定を実行する。すなわち、解放は、ハンドオーバにより引き起こされる。第１のＢＳは、解放要求を第２のＢＳに送信することにより、ＵＥのための第２のＢＳの解放の決定を実行する。
【００３９】
一例において、第１のＢＳは、解放要求内にデータ転送要求情報を含めることによりデータ転送を要求し、解放要求メッセージ内にデータ転送要求情報を含めないことによりデータ転送を要求しない。一例において、データ転送要求情報は、（例えば、ＵＥの）データが転送される少なくとも１つのベアラを示す。一例において、データ転送要求情報は、転送される（例えば、ＵＥの）ＤＬデータ及びＵＬデータのうち少なくとも１つを示す。一例において、第２のＢＳは、第２のＢＳがデータ転送要求情報を含む解放要求を受信したとき、データ転送要求情報により示されたデータ（例えば、ＤＬデータ及びＵＬデータのうち少なくとも１つ）を第１のＢＳに転送する。第２のＢＳは、第２のＢＳがデータ転送要求情報を含まない解放要求を受信したとき、ＵＥのデータを第１のＢＳに転送しなくてもよい。データは、少なくとも１つのパケットデータコンバージェンスプロトコル（Packet  Data  Convergence  Protocol）（ＰＤＣＰ）サービスデータユニット（Service  Data  Unit）（ＳＤＵ）又は少なくとも１つのインターネットプロトコル（Internet  Protocol）（ＩＰ）パケットを含んでもよい。ＰＤＣＰ  ＳＤＵ又はＩＰパケットは暗号化されなくてもよく、ＰＤＣＰ  ＳＤＵ又はＩＰパケットのヘッダはＰＤＣＰに従って圧縮されない。
【００４０】
一例において、第１のＢＳは、第１のＢＳが（例えば、ある時間間隔の間）ＵＥからデータを受信せず、かつ第１のＢＳがＵＥに送信すべきデータを有さないとき、ユーザ不活動が発生していると決定する。一例において、第１のＢＳは、第１のＢＳがＵＥに送信すべきデータを有さず、かつ第１のＢＳがＵＥからＵＥのバッファ内にデータがないことを示すバッファステータスレポート（buffer  status  report）（ＢＳＲ）を受信したとき、ユーザ不活動が発生していると決定する。
【００４１】
一例において、第１のＢＳは、第１のＢＳの第１のセルを介してＵＥとのＲＲＣ接続を構成する。第２のＢＳはＳＣＧ構成を第１のＢＳに送信し、上記ＳＣＧ構成はＳＣＧを変更する（すなわち、ＳＣＧ変更）。第１のＢＳは、第１のセルを介してＲＲＣ接続上でＲＲＣメッセージをＵＥに送信し、このＲＲＣメッセージは上記ＳＣＧ構成を含む。第１のＢＳは、第１のセル又は第１のＢＳの第２のセルを介して、ＵＥからＲＲＣ完了メッセージを受信する。第１のＢＳは、ＲＲＣ完了メッセージに応答して、完了メッセージを第２のＢＳに送信する。
【００４２】
一例において、第１のＢＳは、追加要求（例えば、ＳＢＳ／ＳｅＮＢ追加要求）を第２のＢＳに送信して、第１のＢＳと共にＤＣにおいてＵＥをサービングする（serve）ように第２のＢＳに要求する。第２のＢＳは、追加要求に応答して、ＳＣＧ確立のためのＳＣＧ構成を（例えば、ＳＢＳ／ＳｅＮＢ追加要求肯定応答において）第１のＢＳに送信する。ＳＣＧ構成は、少なくとも１つの無線ベアラ（ＲＢ）を構成することができる。少なくとも１つのＲＢのうちのＲＢは、シグナリングＲＢ（ＳＲＢ）又はデータＲＢ（ＤＲＢ）であってもよい。
【００４３】
一例において、ＵＥは、第１のＢＳ及び第２のＢＳに同時に接続されている。第１のＢＳは、修正要求（例えば、ＳＢＳ／ＳｅＮＢ修正要求（SBS/SeNB  Modification  Request））を第２のＢＳに送信する。第２のＢＳは、修正要求に応答して、ＰＳＣｅｌｌ変更を示すか又はＤＲＢを構成するＳＣＧ構成を（例えば、ＳＢＳ／ＳｅＮＢ修正要求肯定応答（SBS/SeNB  Modification  Request  Acknowledge）において）、第１のＢＳに送信する。
【００４４】
一例において、ＵＥは、第１のＢＳ及び第２のＢＳに同時に接続されている。第２のＢＳは、第２のＢＳがＳＣＧを解放すること、ＰＳＣｅｌｌを変更すること、又は少なくとも１つのセキュリティキーをリフレッシュすることを決定したとき、ＳＣＧ変更を示すＳＣＧ構成を（例えば、ＳＢＳ／ＳｅＮＢ修正要求において）第１のＢＳに送信する。
【００４５】
一例において、第１のＢＳ及び第２のＢＳは、ＬＴＥ  ｅＮＢ、又は５Ｇ  ＢＳである。一例において、第１のＢＳはＬＴＥ  ｅＮＢであり、第２のＢＳは５Ｇ  ＢＳである。別の例において、第１のＢＳは５Ｇ  ＢＳであり、第２のＢＳはＬＴＥ  ｅＮＢである。
【００４６】
一例において、ＵＥは、ＳＣＧ構成内のスプリットベアラ又はＳＣＧベアラであるＤＲＢで構成される。一例において、ＵＥは、ＳＣＧ構成に従ってＳＣＧを追加する（例えば、ＳＢＳ／ＳｅＮＢ追加）。一例において、ＵＥは、ＳＣＧ構成に従ってＳＣＧを変更する（例えば、ＳＣＧ又はＳＢＳ／ＳｅＮＢ変更）。ＳＣＧを成功裏に構成した後、ＵＥは、第１のＢＳ及び第２のＢＳに同時に接続し、すなわち、ＵＥはＤＣにある。
【００４７】
一例において、ＭＣＧ障害は、タイマＴ３１０の満了、タイマＴ３１２の満了、ＭＣＧ上の無線リンク障害（radio  link  failure）（ＲＬＦ）、ＭＣＧ上のランダムアクセス（ＲＡ）問題、又は、最大数の再送信がＳＲＢ、ＭＣＧ、又はスプリットＤＲＢについて達せられたことを含む。ＳＣＧ障害は、タイマＴ３１３の満了、ＳＣＧ上のＲＬＦ、ＳＣＧ上のＲＡ問題、又は、最大数の再送信がＳＣＧ又はスプリットＤＲＢついて達せられたことを含むことができる。
【００４８】
一例において、ＵＥは、ＵＥがＭＣＧ障害が発生していると決定した（例えば、検出した）とき、「RRCConnectionReestablishmentRequest」メッセージを送信することによってＲＲＣ接続再確立手順を開始する。第１のＢＳは、ＵＥから「RRCConnectionReestablishmentRequest」メッセージを受信したとき、ＭＣＧ障害が発生していると決定する。一例において、第１のＢＳは、（例えば、しばらくの間）ＵＥから少なくとも１つの制御信号を受信しないとき、ＭＣＧ障害が発生していると（例えば、それ自身により）決定する。
【００４９】
一例において、ＵＥは、ＵＥがＳＣＧ障害が発生していると決定したとき、ＳＣＧ障害情報手順を開始する。ＳＣＧ障害情報手順において、ＵＥは、「SCGFailureInformation」メッセージを第１のＢＳに送信して、ＳＣＧ障害が発生していることを第１のＢＳに通知する。したがって、第１のＢＳは、ＵＥから「SCGFailureInformation」メッセージを受信したとき、ＳＣＧ障害が発生していると決定する。
【００５０】
一例において、ＲＲＣ接続は、ＳＲＢを含む。一例において、ＲＲＣ接続再構成メッセージは「RRCConnectionReconfiguration」であり、ＲＲＣ接続再構成完了メッセージは「RRCConnectionReconfigurationComplete」である。
【００５１】
当業者は、上述の説明及び例に対する組合せ、修正、及び／又は変更を容易に行えるものとする。示唆されたステップを含む上述の説明、ステップ、及び／又は処理は、ハードウェア、ソフトウェア、ファームウェア（ハードウェアデバイスと、ハードウェアデバイス上の読取専用ソフトウェアとして存在するコンピュータ命令及びデータとの、組み合わせとして知られる）、電子システム、又はこれらの組み合わせであり得る手段によって実現できる。上記手段の一例が、通信装置２０であってもよい。上記処理及び上記例のうち任意のものが、プログラムコード２１４にまとめられてもよい。
【００５２】
要約すると、本発明は、通信を扱う方法及び関連した通信装置を提供する。第１のＢＳは、対応する条件が満たされる場合、ＵＥのデータを転送するように第２のＢＳに要求する。ゆえに、第１のＢＳが、ＵＥのデータを転送するように第２のＢＳに不必要に要求し得るという問題が、解決される。結果として、第１のＢＳと第２のＢＳとＵＥとの間の通信が、効率的に続行することができる。
【図１】
2018093495.tif 000003
【図２】
2018093495.tif 000004
【図３】
2018093495.tif 000005
【図４】
2018093495.tif 000006
【外国語明細書】
2018093495000001.pdf